(57)【要約】【課題】横書きのみならず縦書き文章に対する使い勝手を向上させ、特に書類等に記入する際の利便性を高めた拡大読書器を提供する。【解決手段】横書きの文章は、基台２の左右両側部２１ａ，２１ｂの何れか一方の側に撮像カメラ２８を保持し、基台２を左右に移動させて文章を走査し、ＬＣＤモニタ１４の表示面１５に表示される拡大文字を読み取る。基台２の底面に設けた前後方向のローラ７により、前後方向の移動がスムーズとなる。右利きの人が記入する場合は基台２の右側に撮像カメラ２８を保持し、左利きの人が記入する場合は基台２の左側に撮像カメラ２８を保持する。縦書きの文章は、基台２を右若しくは左に回動させて縦書きの文章を走査する。右利きの人が記入する場合は右側に撮像カメラ２８が位置するように、また左利き人が記入する場合は、左側に撮像カメラが位置するようにそれぞれ基台２を回動させる。【選択図】        図１
2004364126.tif 000002
【特許請求の範囲】
【請求項１】
長方形の表示面を有するモニタと、上面に該モニタを載置した基台と、該基台の左右両側部及び少なくとも前後の何れか一方の側部に設けた装着部と、該装着部に着脱可能なカメラホルダと、該カメラホルダに挿抜可能に保持されるとともに、該カメラホルダ内で被撮像面から所定高さに支持する支持脚を備えた撮像カメラと、前記基台内に配設して、該撮像カメラが撮像する画像を前記モニタの表示面に表示させる画像表示制御回路とから構成したことを特徴とする拡大読書器。
【請求項２】
前記基台の上面に前記モニタを前後及び左右に傾動させるチルト機構を設けたことを特徴とする請求項１に記載の拡大読書器。
【請求項３】
前記基台の底面に、左右若しくは前後の何れか一方向への移動用のローラを設けたことを特徴とする請求項１若しくは請求項２に記載の拡大読書器。
【発明の詳細な説明】
【０００１】
【産業上の利用分野】
本発明は、使い勝手を向上させた拡大読書器に関するものである。
【０００２】
【従来の技術】
実願平４−１５６８６号（実開平５−７８０７７号）により、表示ユニットに回転機構をもたせた携帯用拡大読書器が提案されている。この携帯用拡大読書器の表示ユニットの回転機構は、モニタ保持部に形成した略Ｈ字形の切り欠き溝と、長方形の表示モニタに設けた一対のピンとの組み合わせにより構成されている。
【０００３】
【発明が解決しようとする課題】
しかしながら、上記表示モニタを縦長に用いたり横長に用いたりするには、一対のピンを切り欠き溝内で移動させる必要があり、使い勝手がよくない。また、ビデオカメラを移動させて文章を走査する場合と、表示モニタに表示された文章を読み取る場合とでは、目線を大きく移動させる必要があり、特に拡大読書器を必要とする弱視者や老年者にとっては使い勝手がよくない。さらに、上記拡大読書器では、書類等に所定事項を記入する際にも同様の問題点がある。
本発明は上記問題点を解決するためになされたもので、横書きのみならず縦書き文章に対する使い勝手を向上させ、特に書類等に記入する際の利便性を高めた拡大読書器を提供することを目的とする。
【０００４】
【課題を解決するための手段】
上記目的を達成するための請求項１に記載の拡大読書器は、長方形の表示面を有するモニタと、上面に該モニタを載置した基台と、該基台の左右両側部及び少なくとも前後の何れか一方の側部に設けた装着部と、該装着部に着脱可能なカメラホルダと、該カメラホルダに挿抜可能に保持されるとともに、該カメラホルダ内で被撮像面から所定高さに支持する支持脚を備えた撮像カメラと、前記基台内に配設して、該撮像カメラが撮像する画像を前記モニタの表示面に表示させる画像表示制御回路とから構成したことを特徴とする。
【０００５】
請求項２に記載の拡大読書器は、請求項１に記載の構成において、前記基台の上面に前記モニタを前後及び左右に傾動させるチルト機構を設けたことを特徴とする。
【０００６】
また、請求項３に記載の拡大読書器は、請求項１若しくは請求項２に記載の構成において、前記基台の底面に、左右若しくは前後の何れか一方向への移動用のローラを設けたことを特徴とする。
【０００７】
【発明の作用及び効果】
請求項１に記載の拡大読書器の作用は以下の通りである。横書きの文章に対しては、基台の左右両側部に設けた装着部の何れか一方に撮像カメラを保持したカメラホルダを装着する。このとき、保持された撮像カメラは、支持脚により被撮像面から所定高さに支持される。そして、基台を左右に移動させて横書きの文章を走査し、モニタの表示面に表示される拡大文字を読み取る。
【０００８】
モニタと撮像カメラが基台とともに移動するから、目線をモニタの表示面に注ぐだけでよく使い勝手が向上する。
【０００９】
また、横書き書類等に記入する場合には、撮像カメラの支持脚の間に筆記用具の先端を挿入して、モニタの表示面を見ながら記入することができる。右利きの人が記入する場合は、基台の右側の装着部にカメラホルダを装着して撮像カメラを保持し、左利き人が記入する場合は、基台の左側の装着部にカメラホルダを装着して撮像カメラを保持することにより、記入の際の利便性が高まる。
【００１０】
縦書きの文章に対しては、基台を右若しくは左に９０度回動させてモニタを縦長姿勢にし、基台の左右何れかに向いた装着部に撮像カメラを保持したカメラホルダを装着する。保持された撮像カメラは支持脚により被撮像面から所定高さに支持される。そして、基台を前後に移動させて縦書きの文章を走査し、モニタの表示面に表示される拡大文字を読み取る。この場合もモニタと撮像カメラが基台とともに移動するから、目線をモニタの表示面に注ぐだけでよく使い勝手が向上する。
【００１１】
縦書き書類等に記入する場合には、撮像カメラの支持脚の間に筆記用具の先端を挿入して、モニタの表示面を見ながら記入することができる。そして、右利きの人が記入する場合は右側に撮像カメラが位置するように、また左利き人が記入する場合は、左側に撮像カメラが位置するように基台を回動させる。これにより、縦書きで記入する際の利便性も高まる。
【００１２】
請求項２に記載の拡大読書器によれば、基台の上面にモニタを前後及び左右に傾動させるチルト機構を設けたから、使用時モニタの手前側を低く傾斜させることにより、表示面に対する視認性が高まり使い勝手が向上する。
【００１３】
また、請求項３に記載の拡大読書器によれば、基台の底面に、左右若しくは前後の何れか一方向への移動用のローラを設けたから、左右方向若しくは前後方向のの移動がスムーズとなり、斜め方向の移動が阻止できる。この場合、横書き文章を読み取る場合と縦書き文章を読み取る場合では、基台を左右何れかに９０度回動させるから、左右若しくは前後の何れか一方向にローラを設ければよい。これにより、横書き及び縦書きの文章を確実に走査することができる。
【００１４】
【発明の実施の形態】
本発明の実施形態を図面に基づいて説明する。図１は本実施形態に係る拡大読書器１の斜視図である。拡大読書器１は、主として基台２、ＬＣＤモニタ１４、カメラホルダ２４及び撮像カメラ２８とから構成される。基台２は、ＬＣＤモニタ１４を横長姿勢にしたとき正面となる前側面３にスイッチ４、調整ノブ５及び接続端子６等が設けられている。また、図２に示すように基台２の底面の四隅には、左右方向に向けたローラ７が固定されている。
尚、基台２と撮像カメラ２８間を接続するコードは省略してある。
【００１５】
そして、基台２の上面８には、ＬＣＤモニタ１４を前後及び左右に傾動させるチルト機構９が設置されている。チルト機構９は、一対の軸支ブラケット１０，１０により回動自在に軸支した左右方向の第１チルト軸１１と、該第１チルト軸１１に直交させて固定した支持軸１２に回動自在に挿通した前後方向の第２チルト軸１３とから構成されている。
【００１６】
基台２の内部には、撮像カメラ２８が撮像する画像をＬＣＤモニタ１４の表示面１５に表示させる画像表示制御回路（図示せず）を実装した回路基板１６が格納されている。そして、基台２にはカバー１７が被着され、チルト機構９から下方の側部四周が覆われている。ＬＣＤモニタ１４は、チルト機構９の第２チルト軸１３に嵌着されたブラケット１８に固定されている。
【００１７】
上記基台２に被着したカバー１７の前側面１９には、該基台２のスイッチ４、調整ノブ５及び接続端子６が現れる開口部２０が形成されている。そして、カバー１７の左右両側部２１ａ，２１ｂ及び前後方向の後部２２には、それぞれ平面形状を略Ｔ字形とした装着溝２３が形成されている（図３）。該装着溝２３には、カメラホルダ２４が装着される。
尚、装着溝２３は、スイッチ４等を別の場所に移し、基台２の前部にも設けることができる。
【００１８】
カメラホルダ２４は、筒形保持部２５とその外周から略直角に突出させた装着アーム２６とから構成されている。装着アーム２６の先端は、装着溝２３に雌雄の関係で上方から着脱自在に嵌めて装着できるように略Ｔ字形に形成されている。また、筒形保持部２５の内周壁には、直交する径方向の４箇所に平らな壁面２７が回り止めとして形成されている。
【００１９】
筒形保持部２５に挿抜可能に保持される撮像カメラ２８は、撮像レンズ（図示せず）を下向きとした固体撮像素子を用いたカメラであって、円筒形のケーシング２９の下端に複数本の足を有する支持脚３０が取り付けられている。ケーシング２９の外周には、筒形保持部２５の内周壁に形成した４箇所の平らな壁部２７に係合する平面３１を４箇所に形成したリング３２が嵌められている。
【００２０】
この平面３１と筒形保持部２５の内周壁の壁部２７とにより、撮像カメラ２８を回動角度９０度毎に位置決めでき、撮像カメラ２８の保持位置を変えた場合に、倒立画像や横向画像がＬＣＤモニタ１４の表示面１５に表示されないようにできる。ケーシング２９の上面からは、コード３３が延出され基台２に接続されている。図面ではコード３３の中間部を省略している。
【００２１】
上記構成の拡大読書器１は、横書きの文章に対しては、横長姿勢のＬＣＤモニタ１４をチルト機構９により手前側を低く傾斜させて、表示面１５に対する視認性高め、基台２の左右両側部２１ａ，２１ｂに設けた装着溝２３の何れか一方に撮像カメラ２８を保持したカメラホルダ２４の装着アーム２６を嵌める（図４）。このとき、保持された撮像カメラ２８は、支持脚３０により被撮像面から所定高さに支持される。
【００２２】
そして、基台２を左右に移動させて横書きの文章を走査し、ＬＣＤモニタ１４の表示面１５に表示される拡大文字を読み取る。ＬＣＤモニタ１４と撮像カメラ２８が基台２とともに移動するから、目線をＬＣＤモニタ１４の表示面１５に注ぐだけでよく使い勝手が向上する。この場合、基台２の底面の四隅に設けたローラ７により左右方向の移動がスムーズとなり、斜め方向の移動が阻止できる。
【００２３】
また、横書き書類等に記入する場合には、撮像カメラ２８の支持脚３０の間に筆記用具（図示せず）の先端を挿入して、ＬＣＤモニタ１４の表示面１５を見ながら記入することができる。右利きの人が記入する場合は図５（ａ）に示すように、基台２の右側の装着溝２３にカメラホルダ２４の装着アーム２６を嵌めて撮像カメラ２８を保持し、左利き人が記入する場合は図５（ｂ）に示すように、基台２の左側に撮像カメラ２８を保持することにより、記入の際の利便性が高まる。
【００２４】
縦書きの文章に対しては、基台２を右若しくは左に９０度回動させてＬＣＤモニタ１４を縦長姿勢にし、チルト機構９により手前側を低く傾斜させて表示面１５に対する視認性を高め、基台２の左右何れかに向いた装着溝２３に撮像カメラ２８を保持したカメラホルダ２４の装着アーム２６を嵌めて装着する（図６）。カメラホルダ２４に保持された撮像カメラ２８は、支持脚３０により被撮像面から所定高さに支持される。ＬＣＤモニタ１４を縦長姿勢にすることにより、左右方向に設けたローラ７が前後方向に向く。
【００２５】
そして、基台２を前後に移動させて縦書きの文章を走査し、ＬＣＤモニタ１４の表示面１５に表示される拡大文字を読み取る。この場合もＬＣＤモニタ１４と撮像カメラ２８が基台２とともに移動するから、目線をＬＣＤモニタ１４の表示面１５に注ぐだけでよく使い勝手が向上する。このとき、基台２の底面に設けたローラ７は前後方向に向いているから、前後方向の移動がスムーズとなり、斜め方向の移動が阻止できる。
【００２６】
縦書き書類等に記入する場合には、撮像カメラ２８の支持脚３０の間に筆記用具（図示せず）の先端を挿入して、ＬＣＤモニタ１４の表示面１５を見ながら記入することができる。そして、右利きの人が記入する場合は右側に撮像カメラ２８が位置する（図７（ａ））ように、また左利き人が記入する場合は、左側に撮像カメラが位置する（図７（ｂ））ようにそれぞれ基台２を回動させる。これにより、縦書きで記入する際の利便性も高まる。
【００２７】
その他、撮像カメラ２８が基台２の側部に保持されるとともに、支持脚３０により被撮像面から所定高さに支持されるから、ページ数が多い本で開いたとき綴じ込み近くに生じる湾曲部分にも追従でき、ページの端部分の読み取りに支障を来さないなどの利点がある。
尚、チルト機構９の代わりにユニバーサルジョイント機構を用いることもできる。
【図面の簡単な説明】
【図１】拡大読書器の斜視図である。
【図２】基台のカバーを取り除いた状態の拡大読書器の斜視図である。
【図３】ＬＣＤモニタを取り除いた状態の拡大読書器の斜視図である。
【図４】横書き文章に対応させた状態を例示した拡大読書器の斜視図である。
【図５】横書き書類等に記入する際の対応を示した説明図である。
【図６】縦書き文章に対応させた状態を例示した拡大読書器の斜視図である。
【図７】縦書き書類等に記入する際の対応を示した説明図である。
【符号の説明】
１．．．拡大読書器
２．．．基台
７．．．ローラ
９．．．チルト機構
１４．．．ＬＣＤモニタ
１５．．．表示面
１６．．．回路基板
２１ａ，２１ｂ．．．両側部
２２．．．後部
２３．．．装着溝
２４．．．カメラホルダ
２５．．．  筒形保持部
２６．．．  装着アーム
２８．．．撮像カメラ
３０．．．支持脚
【図１】
2004364126.tif 000003
【図２】
2004364126.tif 000004
【図３】
2004364126.tif 000005
【図４】
2004364126.tif 000006
【図５】
2004364126.tif 000007
【図６】
2004364126.tif 000008
【図７】
2004364126.tif 000009